(57)【要約】【課題】高周波信号に対する利得制御処理の切替動作が安定しなかった。            【解決手段】ＲＦ-ＡＧＣ電圧のレベルを判断するコンパレータ１６に所定のヒステリシス特性を持たせ、同コンパレータ１６から出力するＨ・Ｌレベルの切替を、放送信号に重畳したノイズの影響を受けない安定したものとする。その結果、高周波信号に対する利得制御処理の切替えもノイズの影響が排除されて安定し、同利得制御処理が頻繁に切替わることによる画像の乱れを適切に防止することができる。【選択図】図１
2005354470.tif 000002
【特許請求の範囲】
【請求項１】
ＡＧＣ電圧の大きさに基づいて放送信号の利得を制御する高周波増幅回路と、同高周波増幅回路の前段に設けられて同高周波増幅回路に入力する信号に対して減衰処理を施す減衰器とを備えるテレビジョンにおいて、
取得した上記ＡＧＣ電圧と所定のしきい値との比較結果に応じてＨレベル信号とＬレベル信号との何れか一方を出力する際に、同出力をＨレベル信号とＬレベル信号との一方から他方に切替える際のしきい値と、他方から一方に切替える際のしきい値とに所定の差を設けるコンパレータと、
上記コンパレータによって出力された信号がＨレベル信号かＬレベル信号かによって、上記高周波増幅回路における利得制御処理と、同高周波増幅回路および上記減衰器を併用した利得制御処理とのいずれかを選択する回路であって、放送信号の電界強度が所定の強電界に変化したときのＡＧＣ電圧の変化に応じて上記コンパレータから出力されるレベル信号によって、上記高周波増幅回路および減衰器を併用した利得制御処理を選択するスイッチング回路とを備えることを特徴とするテレビジョン。
【請求項２】
放送信号の利得の制御手段として、ＡＧＣ電圧の大きさに基づいて放送信号の利得制御を行なう高周波増幅回路と放送信号に対して減衰処理を施す減衰器とを備える放送信号受信回路であって、
取得した上記ＡＧＣ電圧と所定のしきい値との比較結果に応じてＨレベル信号とＬレベル信号との何れか一方を出力する際に、同出力をＨレベル信号とＬレベル信号との一方から他方に切替える際のしきい値と、他方から一方に切替える際のしきい値とに所定の差を設けるＡＧＣ電圧比較手段と、
上記ＡＧＣ電圧比較手段によって出力された信号がＨレベル信号かＬレベル信号かによって上記放送信号の利得制御の態様を切替える制御手法切替手段とを備えることを特徴とする放送信号受信回路。
【請求項３】
上記制御手法切替手段は、上記Ｈレベル信号かＬレベル信号かによって、上記高周波増幅回路における利得制御処理と、同高周波増幅回路および上記減衰器を併用した利得制御処理とのいずれかを選択することを特徴とする請求項２に記載の放送信号受信回路。
【請求項４】
上記制御手法切替手段は、上記放送信号の電界強度が所定の強電界に変化したときのＡＧＣ電圧の変化に応じて上記ＡＧＣ電圧比較手段が出力するレベル信号によって上記高周波増幅回路および減衰器を併用した利得制御処理を選択することを特徴とする請求項３に記載の放送信号受信回路。
【発明の詳細な説明】
【技術分野】
【０００１】
本発明は、テレビジョンおよび放送信号受信回路に関する。
【背景技術】
【０００２】
従来技術として、フロントエンドのＦＥＴでの利得制御に加え、前段に設けられた処理回路に可変利得減衰機能を持たせ、強電界時には、ＦＥＴの利得減衰特性の飽和とともに、上記回路に利得減衰器として機能させる受信措置が知られている（例えば、特許文献１参照。）。
同文献においては、強電界域にあって、ＡＧＣ電圧が減少し、ＦＥＴ９での利得減衰量が飽和してくると、ピンダイオード３（上記可変利得減衰機能）における減衰量を増加させる。
【特許文献１】特開平１０‐３２２２３６号公報
【発明の開示】
【発明が解決しようとする課題】
【０００３】
上記文献では、ＦＥＴ９における利得減衰量が飽和したか否かによって、ピンダイオード３が減衰器として動作したりしなかったりする。従って、放送信号にノイズが乗る等してＡＧＣ電圧がピンダイオード３を作動させる電圧レベルを境に変動した場合には、同変動によってピンダイオード３の動作、不動作が頻繁に入替わる。そのため、上記文献の構成を、放送信号の利得制御処理の切替等に採用した場合、上記ノイズが影響して同切替えが頻繁に生じてしまい映像画面が乱れ得るという課題があった。
【０００４】
本発明は、上記課題にかんがみてなされたもので、放送信号の強弱に合わせた適切な利得制御を安定して行なうことの可能なテレビジョンおよび放送信号受信回路を提供することを目的とする。
【課題を解決するための手段】
【０００５】
上記目的を達成するため請求項１の発明は、ＡＧＣ電圧の大きさに基づいて放送信号の利得を制御する高周波増幅回路と、同高周波増幅回路の前段に設けられて同高周波増幅回路に入力する信号に対して減衰処理を施す減衰器とを備えるテレビジョンにおいて、
取得した上記ＡＧＣ電圧と所定のしきい値との比較結果に応じてＨレベル信号とＬレベル信号との何れか一方を出力する際に、同出力をＨレベル信号とＬレベル信号との一方から他方に切替える際のしきい値と、他方から一方に切替える際のしきい値とに所定の差を設けるコンパレータと、上記コンパレータによって出力された信号がＨレベル信号かＬレベル信号かによって、上記高周波増幅回路における利得制御処理と、同高周波増幅回路および上記減衰器を併用した利得制御処理とのいずれかを選択する回路であって、放送信号の電界強度が所定の強電界に変化したときのＡＧＣ電圧の変化に応じて上記コンパレータから出力されるレベル信号によって、上記高周波増幅回路および減衰器を併用した利得制御処理を選択するスイッチング回路とを備える構成としてある。
【０００６】
上記のように構成した請求項１の発明においては、上記テレビジョンは、ＡＧＣ電圧の大きさに基づいて放送信号の利得を制御する高周波増幅回路と、同高周波増幅回路の前段に設けられて同高周波増幅回路に入力する信号に対して減衰処理を施す減衰器とを備えている。
上記コンパレータは、取得した上記ＡＧＣ電圧と所定のしきい値との比較結果に応じてＨレベル信号とＬレベル信号との何れか一方を出力する。ここで、同コンパレータは、同出力をＨレベル信号とＬレベル信号との一方から他方に切替える際のしきい値と、他方から一方に切替える際のしきい値とに所定の差を設けている。
【０００７】
スイッチング回路は、上記コンパレータによって出力された信号がＨレベル信号かＬレベル信号かによって、上記高周波増幅回路における利得制御処理と、同高周波増幅回路および上記減衰器を併用した利得制御処理とのいずれかを選択する。このとき、スイッチング回路は、放送信号の電界強度が所定の強電界へと変化したときのＡＧＣ電圧の変化に応じてコンパレータから出力されるレベル信号によって、上記高周波増幅回路および減衰器を併用した利得制御処理を選択する。その結果、強電界の放送信号を入力した場合には、充分な減衰処理を行うことができ、以後の中間周波段階に対して適切な利得となった信号を出力できる。なお、放送信号が所定の強電界へと変化したときのＡＧＣ電圧の変化に応じてコンパレータから出力するレベル信号を、ＨレベルとＬレベルの何れにするかは任意である。
【０００８】
ここで、コンパレータの出力がＨレベルからＬレベルへ移行した後、再度Ｈレベルへ移行したり、または、ＬレベルからＨレベルへ移行した後、Ｌレベルに移行するには、ＡＧＣ電圧に上記二つのしきい値の差分に匹敵する変化が生じる必要がある。従って、同差分を、放送信号に重畳するノイズによって影響を受けるＡＧＣ電圧のぶれの大きさに対して適切に設定することで、同ノイズの影響を排除した、安定した上記利得制御処理の切替えを行なうことができる。その結果、同切替えが頻繁に起こることで生じうる画像の乱れを適切に防ぐことができる。
【０００９】
請求項２にかかる発明は、放送信号の利得の制御手段として、ＡＧＣ電圧の大きさに基づいて放送信号の利得制御を行なう高周波増幅回路と放送信号に対して減衰処理を施す減衰器とを備える放送信号受信回路であって、取得した上記ＡＧＣ電圧と所定のしきい値との比較結果に応じてＨレベル信号とＬレベル信号との何れか一方を出力する際に、同出力をＨレベル信号とＬレベル信号との一方から他方に切替える際のしきい値と、他方から一方に切替える際のしきい値とに所定の差を設けるＡＧＣ電圧比較手段と、上記ＡＧＣ電圧比較手段によって出力された信号がＨレベル信号かＬレベル信号かによって上記放送信号の利得制御の態様を切替える制御手法切替手段とを備える構成としてある。
【００１０】
上記のように構成した請求項２の発明においては、放送信号受信回路は、放送信号の利得の制御手段として、ＡＧＣ電圧の大きさに基づいて放送信号の利得制御を行なう高周波増幅回路と放送信号に対して減衰処理を施す減衰器とを備える
ここで、ＡＧＣ電圧比較手段は、取得した上記ＡＧＣ電圧と所定のしきい値との比較結果に応じてＨレベル信号とＬレベル信号との何れか一方を出力する。この際、ＡＧＣ電圧比較手段は、同出力をＨレベル信号とＬレベル信号との一方から他方に切替える際のしきい値と、他方から一方に切替える際のしきい値とに所定の差を設けている。
そして、制御手法切替手段は、ＡＧＣ電圧比較手段によって出力された信号がＨレベル信号かＬレベル信号かによって上記放送信号の利得制御の態様を切替える。
【００１１】
つまり、ＡＧＣ電圧比較手段の出力が、ＨレベルからＬレベルへ移行した後、再度Ｈレベルへ移行したり、または、ＬレベルからＨレベルへ移行した後、Ｌレベルに移行するには、ＡＧＣ電圧に上記二つのしきい値の差分に匹敵する変化が生じる必要がある。従って、同差分を、放送信号に重畳するノイズによって影響を受けるＡＧＣ電圧のぶれの大きさに対して適切に設定することで、同ノイズの影響を排除した、安定した利得制御処理の切替えを行なうことができる。その結果、同切替えが頻繁に起こることで生じうる画像の乱れが適切に防がれる。
【００１２】
請求項３の発明は、請求項２に記載の放送信号受信回路において、上記制御手法切替手段は、上記Ｈレベル信号かＬレベル信号かによって、上記高周波増幅回路における利得制御処理と、同高周波増幅回路および上記減衰器を併用した利得制御処理とのいずれかを選択する構成としてある。
【００１３】
ＡＧＣ電圧に基づいた高周波増幅回路における利得制御処理のみでは、入力する放送信号の電界強度が強くなるにつれて、充分な減衰処理を行えなくなる。そこで、制御手法切替手段は、放送信号の強弱に影響されて変化するＡＧＣ電圧比較手段の出力が、Ｈレベル信号かＬレベル信号かによって、高周波増幅回路における利得制御処理と、高周波増幅回路および減衰器を併用した利得制御処理とのいずれかを選択する。
【００１４】
より具体的には、上記制御手法切替手段は、上記放送信号の電界強度が所定の強電界に変化したときのＡＧＣ電圧の変化に応じて上記ＡＧＣ電圧比較手段が出力するレベル信号によって上記高周波増幅回路および減衰器を併用した利得制御処理を選択する。その結果、放送信号受信回路は、強電界の放送信号を入力した場合に充分な減衰処理を行うことができ、以後、所定の中間周波段階に対して信号を出力する場合にも、適切な利得となった信号を出力できる。
【発明の効果】
【００１５】
以上説明したように、本発明によれば、入力した放送信号の電界強度に応じた利得制御処理を的確に選択できるとともに、かかる利得制御処理の選択状況が、放送信号に重畳したノイズの影響を受けて発振的に変化することを防止できるので、映像の乱れを適切に防止することができる。
【発明を実施するための最良の形態】
【００１６】
図１は、本発明の一実施形態にかかるテレビジョン１００を概略的に示している。
同図に示すように、テレビジョン１００は、テレビジョン放送信号を受信するアンテナ１０ａと、チューナ回路１０と、クロマＩＣ２０と、マイコン３０等を備えている。マイコン３０とチューナ回路１０とクロマＩＣ２０はＩＩＣバス４０を介して相互に接続されている。図示しないマイコン３０の内部においては、ＣＰＵがＲＯＭに予め記憶された所定のプログラムをＲＡＭをワークエリアとして実行し、テレビジョン１００全体の制御を行なう。
【００１７】
チューナ回路１０は、いわゆるシンセサイザ方式のチューナであり、マイコン３０の制御により、選局制御信号としてＰＬＬデータ、すなわちＰＬＬループにおける可変分周回路の分周比のデータが同チューナ回路１０に与えられる。チューナ回路１０は、同選局制御信号を受けて、受信したテレビジョン放送信号から所望の周波数帯域の信号を抽出することにより、複数のチャンネルの中から一つのチャンネルを選択する。
【００１８】
同チューナ回路１０は、減衰器１１と、高周波増幅回路１２と、混合回路１３と、局部発振回路１４と、ＡＧＣ電圧比較回路１５と、スイッチング回路１７を有している。つまり、チューナ回路１０は、マイコン３０の制御により所望の周波数に対応する放送信号をアンテナ１０ａを介して受信し、トランジスタなどによって構成された高周波増幅回路１２において、同受信した放送信号に対する増幅処理を行なって高周波信号を生成する。
【００１９】
ここで、高周波増幅回路１２は、クロマＩＣ２０から出力されたＲＦ‐ＡＧＣ電圧の供給を受けている。ＲＦ‐ＡＧＣ電圧は、クロマＩＣ２０におけるＡＧＣ回路２１によって取得される。ＡＧＣ回路２１は、放送信号が強い場合は検波段階までの増幅器の利得を下げ、入力する放送信号が弱い場合は同利得を上げることによって、入力する放送信号の強弱に変化が生じても検波出力を約一定に保つ働きをする。
【００２０】
具体的には、ＡＧＣ回路２１は、ＡＧＣ検波回路とＡＧＣ増幅回路とからなる。ＡＧＣ検波回路は、クロマＩＣ２０における映像検波出力を検出し、同出力レベルに応じてＡＧＣ電圧を抽出してＡＧＣ増幅回路へ出力する。ＡＧＣ増幅回路は、ＡＧＣ電圧を増幅し、ＩＦ‐ＡＧＣ電圧を図示しない中間周波増幅回路へ、ＲＦ‐ＡＧＣ電圧をチューナ回路１０へそれぞれ供給する。そして、同ＲＦ‐ＡＧＣ電圧の供給を受けた高周波増幅回路１２は、同ＲＦ‐ＡＧＣ電圧に基づいた利得制御（以下、ＡＧＣ制御）を行なう。また、後述するように、ＲＦ‐ＡＧＣ電圧は、ＡＧＣ電圧比較回路１５にも入力され、同ＲＦ‐ＡＧＣ電圧の大きさに応じてＡＧＣ電圧比較回路１５から出力された制御信号によって、上記減衰器１１の動作、不動作が決定される。減衰器１１としては、例えば、所定の抵抗をＴ型やπ型に組んだものなど、種々の構成を採用可能である。
【００２１】
上記生成された高周波信号は混合回路１３に出力される。混合回路１３は、高周波増幅回路１２からの出力と、局部発振回路１４において生成された発振信号を混合して中間周波信号（ＩＦ）に変換し、クロマＩＣ２０に出力する。
クロマＩＣ２０においては、入力した中間周波信号に対して所定の検波処理や増幅処理を行い、映像信号と音声信号と水平・垂直ドライブ信号とを抽出する。そして、映像信号はカソードアンプ５０に、音声信号はオーディオアンプ６０に、水平・垂直ドライブ信号は水平偏向回路と垂直偏向回路とからなる偏向回路７０に夫々出力される。
【００２２】
カソードアンプ５０に入力した映像信号は、同カソードアンプ５０において所定の増幅処理を受けた後、ＣＲＴ８０に供給される。ＣＲＴ８０は、同映像信号に基づいて画像表示を行なう。この場合、偏向回路７０においては、水平・垂直ドライブ信号に対応した水平・垂直ドライブ電流が生成され、同水平・垂直ドライブ電流をＣＲＴ８０に取り付けられた図示しない偏向コイルに供給することにより、電子ビームを水平・垂直方向にドライブさせる。一方、オーディオアンプ６０は、入力した音声信号を増幅し、スピーカ９０に供給する。スピーカ９０は同音声信号に基づいて音声を出力する。
【００２３】
受信する放送信号の電界強度は、放送局と受信機器との位置関係やチャンネルの切替え等を原因として変化し、場合によっては、所定レベル以上の強電界の放送信号（例えば、９０ｄＢμ）が入力される場合がある。この場合、上記ＲＦ‐ＡＧＣ電圧に基づく高周波増幅回路１２での利得制御に限界が生じ、中間周波段階へ出力する信号レベル幅が略一定に保たれなかったり、出力される信号に歪みが生じてしまうことがある。また、同高周波増幅回路１２における妨害信号に対する排除特性も低下してしまう。特に、近年多く見られる、低い駆動電圧（例えば、５，０Ｖ以下）によって駆動するチューナ回路においては、上記強入力に対する上記弊害が大きかった。そこで、本実施形態においては、放送信号が弱電界を越えて中電界レベル（例えば、６０ｄＢμ以上）である場合には、通常通り、上記ＡＧＣ制御を行い、所定レベル以上の強電界の場合には、上記ＡＧＣ制御に加えて減衰器１１による減衰処理をも行なうこととした。なお、弱電界（例えば、６０ｄＢμ未満）の場合には上記ＡＧＣ制御は実行されないものとする。
【００２４】
ここで、上記のように放送信号の電界強度によって利得制御の手法を切替える場合であっても、様々な外的要因によって放送信号にノイズが重畳して同放送信号の強弱のレベルが頻繁に変化する場合がある。かかる場合、同変化に追従して制御手法が発振的に切替わってしまうと、上記ＣＲＴ８０の画像が乱れる等の不都合が生じうる。そこで、本発明では、放送信号の強弱に基づく利得制御手法の切替えを以下のように行なうこととした。
【００２５】
図２は、ＡＧＣ電圧比較回路１５を示している。同図に示すように、ＡＧＣ電圧比較回路１５は、主にコンパレータ１６と所定の抵抗Ｒ１〜３等から構成されている。コンパレータ１６は、二つの入力ピン１６ａ，１６ｂと、一つの出力ピン１６ｃとを有している。そして、二つの入力のうち、一方を基準として他方の入力と比較し、同比較結果をＨレベルまたはＬレベルの二値の信号にして出力を行なう。
【００２６】
プラスの入力ピン１６ａにはＲＦ‐ＡＧＣ電圧が入力し、マイナスの入力ピン１６ｂには、一定の基準電圧Ｄｒｅｆが入力する。そして、ＲＦ‐ＡＧＣ電圧が基準電圧Ｄｒｅｆよりも高い場合は出力ピン１６ｃからＨレベル信号が出力し、ＲＦ‐ＡＧＣ電圧が基準電圧Ｄｒｅｆよりも低い場合はＬレベル信号が出力する。このようにして出力されたＨ・Ｌレベル信号によって、スイッチング回路１７における利得制御手法の切替えが行なわれる。なお、同図では、出力側は抵抗Ｒ３を解して正電源と接続しているため、コンパレータ１６の不動作時においては、出力側は、Ｈレベルにプルアップされている。
【００２７】
以上が、コンパレータ１６の基本的な動作であるが、本実施形態では、コンパレータ１６にいわゆるヒステリシス特性を持たせてある。つまり、コンパレータ１６は、出力をＬレベルからＨレベルに切替える際の基準（しきい値Ｔｈ１）と、ＨレベルからＬレベルに切替える際の基準（しきい値Ｔｈ２）とが異なる。ただし、Ｔｈ１＞Ｔｈ２とする。本願におけるヒステリシス特性は、正のフィードバック回路を用い、抵抗Ｒ１と抵抗Ｒ２とによって作り出す。
次に、コンパレータ１６の動作を具体的に説明する。
【００２８】
図３は、コンパレータ１６の入出力特性を示している。
ここで、入力ピン１６ａへ入力するＲＦ‐ＡＧＣ電圧は、上記クロマＩＣ２０における映像検波出力が大きければ小さくなり、同検波出力が小さければ大きくなる特性を有す。基本的には、放送信号が無入力状態〜弱電界にかけては略一定の最大値となり、以降、放送信号が強入力となるにつれて徐々に低下する特性を持つ。なお、放送信号の電界強度とＲＦ‐ＡＧＣ電圧との関係は、詳しくは後述する。
【００２９】
放送信号が弱〜中電界レベルから強電界へと変化する場合、ＲＦ‐ＡＧＣ電圧は下降する。このとき、同図に示すように、同ＲＦ‐ＡＧＣ電圧がしきい値Ｔｈ２より高い間は、出力ピン１６ｃからはＨレベルが出力され、しきい値Ｔｈ２より低くなった時点でＬレベルが出力される。逆に、放送信号が強電界の状態から弱くなる場合、ＲＦ‐ＡＧＣ電圧は上昇する。このとき、同ＲＦ‐ＡＧＣ電圧がしきい値Ｔｈ１を越えるまでは出力ピン１６ｃからはＬレベルが出力され、しきい値Ｔｈ１より高くなった時点でＬレベルからＨレベルへと出力が切替わる。
【００３０】
そして、スイッチング回路１７では、コンパレータ１６からＨレベル信号を入力している間は、減衰器１１にアンテナ１０ａからの放送信号が入力しないようにスイッチを切替え（ＯＦＦ設定）、Ｌレベル信号を入力している間は、減衰器１１に放送信号が入力するようにスイッチを切替える（ＯＮ設定）。その結果、チューナ回路１０が強電界の放送信号を受信した場合には、放送信号は減衰器１１によってその信号レベルが減衰された後に高周波増幅回路１２に入力する。従って、強電界の放送信号が高周波増幅回路１２に直接入力することによる、中間周波段階への出力信号の不安定性や出力信号の歪み等といった上記不都合が解消される。
一方、中電界レベル以下の放送信号を受信した場合には、スイッチング回路１７はＯＦＦ設定となるため、同放送信号は、減衰器１１を介さず高周波増幅回路１２に入力される。
【００３１】
コンパレータ１６にヒステリシス特性を持たせたことの効果について説明する。
ＲＦ‐ＡＧＣ電圧との比較の対象を上記基準電圧Ｄｒｅｆとすると、放送信号にノイズが重畳してＲＦ‐ＡＧＣ電圧が基準電圧Ｄｒｅｆを境に発振的に変化する場合には、コンパレータ１６の出力もＨ・Ｌレベルを頻繁に繰り返すことになる。しかし、本発明では、コンパレータ１６は、異なるしきい値Ｔｈ１としきい値Ｔｈ２とを有している。そのため、コンパレータ１６の出力がＨレベルからＬレベルへ切替わった後に、再度Ｈレベルへ切替えるには、両しきい値Ｔｈ１，Ｔｈ２の差分を越える上昇変化をＲＦ‐ＡＧＣ電圧に生じさせるような変化が放送信号に生じる必要がある。同様に、ＬレベルからＨレベルへ切替わった後に、再度Ｌレベルに切替えるにも、上記差分以上にＲＦ‐ＡＧＣ電圧が低下するような変化が放送信号に生じる必要がある。
【００３２】
従って、様々な外的要因によって生じうるノイズが放送信号に重畳する場合であっても、ＲＦ‐ＡＧＣ電圧における同ノイズの影響を吸収するような大きさにしきい値Ｔｈ１，Ｔｈ２間の差を設定することで、同ノイズの影響で上記利得制御処理の切替えが頻繁に起こることが防がれる。その結果、かかる利得制御処理の切替えが頻繁に起こることで生じうる画像の乱れを有効に防ぐことができる。また、本発明は、従来より用いられているＡＧＣ制御のための回路構成に加え、上記ＡＧＣ電圧比較回路１５とスイッチング回路１７と減衰器１１と付加すれば実現可能である。そのため、各受信機器の機種毎に放送信号の強弱に応じて利得制御処理を行うための専用の回路を組む必要もなく、簡易な構成で本発明による効果を奏することができる。
【００３３】
図４は、放送信号の電界強度とＲＦ‐ＡＧＣ電圧との関係を示している。
同図においては、縦軸をＲＦ‐ＡＧＣ電圧、横軸を放送信号の電界強度としている。上述したように、ＲＦ‐ＡＧＣ電圧は、放送信号が０〜約６０ｄＢμ程度の弱電界においては略一定の最大値Ｖ６を取り、約６０〜８０ｄＢμ程度の中電界において、徐々にその値を低下させる。しかし、約８０ｄＢμを越える電界強度にて、同電界強度が上昇する場合と下降する場合とでは、ＲＦ‐ＡＧＣ電圧の変化態様が異なる。
【００３４】
つまり、放送信号の電界強度が上昇する場合には、ＲＦ‐ＡＧＣ電圧は同上昇に伴って図中の点Ｃ（Ｖ３）まで下降した後、さらに同上昇に伴って点Ｄ（Ｖ２）まで下降する。そして、点Ｄまで電界強度が上昇したところで、ＲＦ‐ＡＧＣ電圧は点Ｅ（Ｖ４）にまで上昇する。これは、点ＤにおいてＲＦ‐ＡＧＣ電圧が上記しきい値Ｔｈ２より下降したことを意味する。すなわち、ＲＦ‐ＡＧＣ電圧がしきい値Ｔｈ２より下降し、スイッチング回路１７がＯＮ設定となった際に、減衰器１１が作動して上記クロマＩＣ２０における映像検波出力が瞬間的に低下する。その結果、ＲＦ‐ＡＧＣ電圧はＶ２からＶ４へと上昇する。そして、点Ｄ以降は減衰器１１は作動し続け、ＲＦ‐ＡＧＣ電圧は、電界強度の上昇に伴って点Ｅから下降していく。
【００３５】
一方、点Ｆを始点とし、放送信号の電界強度が下降する場合を考えたとき、ＲＦ‐ＡＧＣ電圧は、同下降に伴って点Ｅ（Ｖ４）まで上昇した後、さらに同下降に伴って点Ｇ（Ｖ５）まで上昇する。電界強度が下降する際に、点Ｆ〜Ｇの間においては減衰器１１は作動し続けるが、これは上記ヒステリシス特性による。そして、点Ｇまで電界強度が下降したところで、ＲＦ‐ＡＧＣ電圧が上記しきい値Ｔｈ１を越える。ここでスイッチング回路１７がＯＦＦ設定となり、減衰器１１が作動しなくなり、クロマＩＣ２０における映像検波出力が瞬間的に大きくなる。その結果、ＲＦ‐ＡＧＣ電圧はＶ５からＶ３へと低下する。そして、点Ｃ〜Ｂ間では、電界強度の下降に伴いＲＦ‐ＡＧＣ電圧は上昇する。
【００３６】
このように、コンパレータ１６に所定のヒステリシス特性を持たせ、同コンパレータ１６から出力するＨ・Ｌレベルの切替を、放送信号に重畳したノイズの影響を受けない安定したものとすることで、高周波信号に対する利得制御処理の切替えもノイズの影響が排除されて安定し、その結果、同利得制御処理が頻繁に切替わることによる画像の乱れを適切に防止することができる。
【図面の簡単な説明】
【００３７】
【図１】本発明の一実施形態にかかるテレビジョンの概略構成図である。
【図２】ＡＧＣ電圧比較回路にかかる回路図である。
【図３】コンパレータの入出力特性を示した図である。
【図４】ＲＦ‐ＡＧＣ電圧の変化特性を示した図である。
【符号の説明】
【００３８】
１０…チューナ回路
１０ａ…アンテナ
１１…減衰器
１２…高周波増幅回路
１３…混合回路
１４…局部発振回路
１５…ＡＧＣ電圧比較回路
１６…コンパレータ
１６ａ，１６ｂ…入力ピン
１６ｃ…出力ピン
１７…スイッチング回路
２０…クロマＩＣ
２１…ＡＧＣ回路
３０…マイコン
５０…カソードアンプ
６０…オーディオアンプ
７０…偏向回路
８０…ＣＲＴ
９０…スピーカ
１００…テレビジョン
【図１】
2005354470.tif 000003
【図２】
2005354470.tif 000004
【図３】
2005354470.tif 000005
【図４】
2005354470.tif 000006